(57)【要約】      （修正有）【課題】電子機器のシャーシの二つの区域にケーブルを配置でき、迅速に取付け／取り外し可能なケーブルマネージメントアームを提供する。【解決手段】第一ケーブルマネージメント装置４８、第一支持装置５０、第二ケーブルマネージメント装置５２、および、第二支持装置５４を備える。第一ケーブルマネージメント装置は支持台６２を有し、シャーシ３２の何れか一つの区域のケーブルを整理する。第一支持装置は嵌合部材７２を有し、第一ケーブルマネージメント装置を支持する。第二ケーブルマネージメント装置は、第一支持装置の嵌合部材７２に分離可能に取り付けられた支持台８２を有し、シャーシの別の区域のケーブルを整理する。第二支持装置は、第一ケーブルマネージメント装置の支持台６２を分離可能に取り付ける嵌合部材９２を有し、第二ケーブルマネージメント装置を支持する。【選択図】図２
0003196759.tif 000002
【実用新案登録請求の範囲】
【請求項１】
第一ケーブルマネージメント装置、第一支持装置、第二ケーブルマネージメント装置、および、第二支持装置を備え、
前記第一ケーブルマネージメント装置は、第一アーム、前記第一アームに連結されている第二アーム、前記第一アームに連結されており且つ第一連接部、第二連接部、及び第一連接部に位置する通路を有する第一連接装置、前記第二連接部に連結されている支持台、ならびに、前記第二アームに連結されている第二連接装置を有し、
前記第一支持装置は、前記第一ケーブルマネージメント装置の前記第一アームおよび前記第二アームの何れか一方を支持する第一支持レール、前記第一支持レールに伸縮可能に連結されている第二支持レール、前記第一支持レールに連結されている可動部材、前記第一連接装置の前記通路に移動可能に取り付けられている可動部材、ならびに、前記第二支持レールに連結されている嵌合部材を有し、
前記第二ケーブルマネージメント装置は、第一アーム、前記第一アームに連結されている第二アーム、前記第一アームに連結されており且つ延長部を有する第一連接装置、前記延長部に連結されており且つ前記第一支持装置に分離可能に連結されている嵌合部材、及び、前記第二アームに連結されている第二連接装置を有し、
前記第二支持装置は、前記第二ケーブルマネージメント装置の前記第一アームおよび前記第二アームの何れか一方を支持する第一支持レール、前記第一支持レールに伸縮可能に連結されている第二支持レール、前記第一支持レールに連結されている可動部材、前記第二ケーブルマネージメント装置の前記第一連接装置に移動可能に取り付けられている可動部材、ならびに、前記第二支持レールに連結されており且つ前記第一ケーブルマネージメント装置の前記支持台に移動可能に取り付けられている嵌合部材を有することを特徴とするケーブルマネージメントアーム。
【請求項２】
前記第一ケーブルマネージメント装置の前記支持台は、前記第一ケーブルマネージメント装置の前記第一連接装置の下方位置に隣り合う箇所に位置し、
前記第二ケーブルマネージメント装置は、前記第二支持装置の前記嵌合部材により前記第一ケーブルマネージメント装置の前記支持台に取り付けられており、前記第一ケーブルマネージメント装置の下方に位置し、
前記第二ケーブルマネージメント装置の前記支持台は、前記第二ケーブルマネージメント装置の前記第一連接装置の上方位置に隣り合う箇所に位置し、
前記第一ケーブルマネージメント装置は、前記第一支持装置の前記嵌合部材により前記第二ケーブルマネージメント装置の前記支持台に取り付けられており、前記第二ケーブルマネージメント装置の上方に位置することを特徴とする請求項１に記載のケーブルマネージメントアーム。
【請求項３】
前記第一ケーブルマネージメント装置の前記支持台および前記第二ケーブルマネージメント装置の前記支持台は、定位孔、及び、前記支持台に弾性的に連結されている定位部材をさらに有し、
前記定位部材は前記定位孔に対応する阻止部を有し、
前記第一支持装置の前記嵌合部材は、前記第二ケーブルマネージメント装置の前記支持台の前記定位孔に取り付けられており、且つ前記第二ケーブルマネージメント装置の前記定位部材の前記阻止部によって係止可能であり、
前記第二支持装置の前記嵌合部材は、前記第一ケーブルマネージメント装置の前記支持台の前記定位孔に取り付けられており、且つ前記第一ケーブルマネージメント装置の前記定位部材の前記阻止部によって係止可能であることを特徴とする請求項１に記載のケーブルマネージメントアーム。
【請求項４】
前記第一ケーブルマネージメント装置および前記第二ケーブルマネージメント装置はそれぞれスライド座をさらに有し、
前記第一ケーブルマネージメント装置の前記スライド座は前記第一ケーブルマネージメント装置の前記第一アームに軸着され且つ前記第一支持装置の前記第一支持レールに移動可能に連結されており、前記第二ケーブルマネージメント装置の前記スライド座は前記第二ケーブルマネージメント装置の前記第一アームに軸着され且つ前記第二支持装置の前記第一支持レールに移動可能に連結されていることを特徴とする請求項１に記載のケーブルマネージメントアーム。
【請求項５】
前記第一支持装置の前記第一支持レールおよび前記第二支持装置の前記第一支持レールは、何れも第一部位と第二部位を有し、
前記第一部位および前記第二部位はいずれも位置決め部材を有しており、
前記第一ケーブルマネージメント装置の前記スライド座および前記第二ケーブルマネージメント装置の前記スライド座は、それぞれ前記第一支持装置の前記第一支持レールおよび前記第二支持装置の前記第一支持レールに沿って移動し、前記位置決め部材により前記第一部位と前記第二部位との間で位置が限定されていることを特徴とする請求項４に記載のケーブルマネージメントアーム。
【請求項６】
前記第一支持装置の前記嵌合部材は前記第一支持装置の前記第二支持レールの端部に隣り合う箇所に連結されていることを特徴とする請求項１に記載のケーブルマネージメントアーム。
【請求項７】
前記第二支持装置の前記嵌合部材は前記第二支持装置の前記第二支持レールの端部に隣り合う箇所に連結されていることを特徴とする請求項１に記載のケーブルマネージメントアーム。
【請求項８】
シャーシに用いられるケーブルマネージメントアームであって、
前記シャーシは、上層区域と下層区域を有し、互いに対向する両側が、それぞれ、固定レールおよび前記固定レールに対して縦方向に移動する可動レールを有する第一スライドレールキットおよび第二スライドレールキットの前記可動レールに取り付けられていることによってラックに取り付けられており、
第一ケーブルマネージメント装置、第一支持装置、第二ケーブルマネージメント装置、及び、第二支持装置を備え、
前記第一ケーブルマネージメント装置は、第一アーム、第二アーム、第一連接装置、支持台、および、第二連接装置を有し、
前記第二アームは、前記第一アームに移動可能に連結されており、
前記第一アームおよび前記第二アームの位置は前記シャーシの前記上層区域に対応しており、
前記第一連接装置は、前記第一アームに移動可能に連結されており、第一連接部、第二連接部、及び前記第一連接部に位置する通路を有し、前記第一スライドレールキットの前記固定レールに分離可能に取り付けられており、
前記支持台は、前記第二連接部に取り付けられており、
前記第二連接装置は、前記第二アームに移動可能に連結されており且つ前記シャーシに分離可能に取り付けられており、
前記第一支持装置は、前記第一ケーブルマネージメント装置の前記第一アームおよび前記第二アームの何れか一方を支持する第一支持レール、前記第一支持レールに伸縮可能に連結されている第二支持レール、前記第一支持レールに連結されている可動部材、前記第一ケーブルマネージメント装置の前記第一連接装置の前記通路に移動可能に取り付けられている可動部材、及び前記第二支持レールに連結されている嵌合部材を有し、
前記第二ケーブルマネージメント装置は、第一アーム、第二アーム、第一連接装置、支持台、及び第二連接装置を有し、
前記第二アームは、前記第一アームに移動可能に連結されており、
前記第一アームおよび前記第二アームの位置は前記シャーシの下層区域に対応しており、
前記第一連接装置は、前記第一アームに連結されており、延長部を有し、前記第二スライドレールキットの前記固定レールに分離可能に連結されており、
前記支持台は、前記延長部に連結されており、前記第一支持装置の前記嵌合部材に分離可能に連結されており、
前記第二連接装置は、前記第二アームに移動可能に連結されており、前記シャーシに分離可能に取り付けられており、
前記第二支持装置は、前記第二ケーブルマネージメント装置の前記第一アームと前記第二アームの何れか一方を支持する第一支持レール、前記第一支持レールに伸縮可能に連結されている第二支持レール、前記第一支持レールに連結されており且つ前記第二ケーブルマネージメント装置の前記第一連接装置に移動可能に取り付けられている可動部材、及び前記第二支持レールに連結されており且つ前記第一ケーブルマネージメント装置の前記支持台に移動可能に取り付けられている嵌合部材を有することを特徴とするケーブルマネージメントアーム。
【請求項９】
前記第一ケーブルマネージメント装置の前記支持台は前記第一ケーブルマネージメント装置の前記第一連接装置の下方位置と隣り合う箇所に位置し、
前記第二ケーブルマネージメント装置は、前記第二支持装置の前記嵌合部材により前記第一ケーブルマネージメント装置の前記支持台に取り付けられており、前記第一ケーブルマネージメント装置の下方に位置しており、
前記第二ケーブルマネージメント装置の前記支持台は、前記第二ケーブルマネージメント装置の前記第一連接装置の上方に隣り合う箇所に位置し、
前記第一ケーブルマネージメント装置は、前記第一支持装置の前記嵌合部材により前記第二ケーブルマネージメント装置の前記支持台に取り付けられており、前記第二ケーブルマネージメント装置の上方に位置していることを特徴とする請求項８に記載のケーブルマネージメントアーム。
【請求項１０】
前記シャーシの互いに対向する両側はそれぞれ前記第一連接座および前記第二連接座に連結されており、
前記第一連接座および前記第二連接座は係止部を有し、
前記第一ケーブルマネージメント装置の前記第二連接装置および前記第二ケーブルマネージメント装置の前記第二連接装置は、弾力部、前記弾力部の弾力に応じて対応する前記第一連接座または前記第二連接座の前記係止部に嵌着可能な嵌着部、及び、前記第一連接座または前記第二連接座の前記係止部から対応する前記嵌着部を解除可能な分離部を有することを特徴とする請求項８に記載のケーブルマネージメントアーム。
【請求項１１】
前記第一連接座および前記第二連接座は挿入口及び係止壁をさらに有し、
前記第一ケーブルマネージメント装置の前記第二連接装置および前記第二ケーブルマネージメント装置の前記第二連接装置は挿入部をさらに有し、
前記挿入部は、前記挿入口に挿入可能であり、前記係止壁によって係止されていることを特徴とする請求項１０に記載のケーブルマネージメントアーム。
【請求項１２】
前記第一スライドレールキットおよび前記第二スライドレールキットの前記固定レールは、連接孔をさらに有し、
前記第一ケーブルマネージメント装置の前記第一連接装置および前記第二ケーブルマネージメント装置の前記第一連接装置は、弾力部、前記弾力部の弾力に応じて対応する各前記固定レールの前記連接孔に嵌着可能である嵌着部、及び、各前記固定レールの前記連接孔から対応する前記嵌着部を解除可能な分離部を有することを特徴とする請求項８に記載のケーブルマネージメントアーム。
【請求項１３】
前記第一スライドレールキットおよび前記第二スライドレールキットの前記固定レールは、固定部材をさらに有し、一対の前記固定部材に溝部が形成されており、
前記第一ケーブルマネージメント装置の前記第一連接装置および前記第二ケーブルマネージメント装置の前記第一連接装置は、対応する各前記固定レールの前記溝部に挿入されており、一対の前記固定部材によって係止されている挿入部をさらに有することを特徴とする請求項１２に記載のケーブルマネージメントアーム。
【請求項１４】
前記第一支持装置の前記可動部材と前記第二支持装置の前記可動部材は操作部をさらに有し、
前記第一スライドレールキットおよび前記第二スライドレールキットの前記可動部材が前記固定レールに対して閉じられる位置に収納される時、
前記第一支持装置の前記可動部材および前記第二支持装置の前記可動部材は、それぞれ前記第一ケーブルマネージメント装置の前記第一連接装置および前記第二ケーブルマネージメント装置の前記第一連接装置に対して移動し、閉じる状態となり、
前記第一ケーブルマネージメント装置の前記第一連接装置の前記嵌着部および前記第二ケーブルマネージメント装置の前記第一連接装置の前記嵌着部は、前記操作部の操作に応じて前記分離部を連動させることで、各前記固定レールの前記連接孔から離脱することを特徴とする請求項１２に記載のケーブルマネージメントアーム。
【請求項１５】
前記第一ケーブルマネージメント装置の前記支持台および前記第二ケーブルマネージメント装置の前記支持台は、定位孔、及び前記支持台に弾性的に連結されている定位部材をさらに有し、
前記定位部材は、前記定位孔に対応する阻止部を有し、
前記第一支持装置の前記嵌合部材は、前記第二ケーブルマネージメント装置の前記支持台の前記定位孔に取り付けられており、且つ前記第二ケーブルマネージメント装置の前記定位部材の前記阻止部によって係止可能であり、
前記第二支持装置の前記嵌合部材は、前記第一ケーブルマネージメント装置の前記支持台の前記定位孔に取り付けられており、且つ前記第一ケーブルマネージメント装置の前記定位部材の前記阻止部によって係止可能であることを特徴とする請求項８に記載のケーブルマネージメントアーム。
【請求項１６】
前記第一ケーブルマネージメント装置および前記第二ケーブルマネージメント装置はスライド座をさらに有し、
前記第一ケーブルマネージメント装置の前記スライド座は、前記第一ケーブルマネージメント装置の前記第一アームに軸着されており、且つ前記第一支持装置の前記第一支持レールに移動可能に取り付けられており、
前記第二ケーブルマネージメント装置の前記スライド座は、前記第二ケーブルマネージメント装置の前記第一アームに軸着されており、且つ前記第二支持装置の前記第一支持レールに移動可能に取り付けられていることを特徴とする請求項８に記載のケーブルマネージメントアーム。
【請求項１７】
前記第一支持装置の前記第一支持レールおよび前記第二支持装置の前記第一支持レールは何れも第一部位と第二部位を有し、
前記第一部位および前記第二部位は、何れも位置決め部材を有し、
前記第一ケーブルマネージメント装置の前記スライド座と前記第二ケーブルマネージメント装置の前記スライド座は、それぞれが前記第一支持装置の前記第一支持レールと前記第二支持装置の前記第一支持レールに沿って移動可能であり、前記位置決め部材によって前記第一部位と前記第二部位との間に位置限定されていることを特徴とする請求項１６に記載のケーブルマネージメントアーム。
【請求項１８】
前記第一支持装置の前記嵌合部材は前記第一支持装置の前記第二支持レールの端部に隣り合う箇所に連結されていることを特徴とする請求項８に記載のケーブルマネージメントアーム。
【請求項１９】
前記第二支持装置の前記嵌合部材は前記第二支持装置の前記第二支持レールの端部に隣り合う箇所に連結されていることを特徴とする請求項８に記載のケーブルマネージメントアーム。
【請求項２０】
第一アーム、第二アーム、連接装置、第一支持レール、第二支持レール、及び可動部材を備え、
前記第二アームは、前記第一アームに移動可能に連結されており、
前記連接装置は、前記第一アームに連結されており、少なくとも一つの嵌着孔及び嵌着部材を有し、
前記嵌着部材は、弾力部、前記弾力部の弾力に応じ且つ前記嵌着孔に嵌着されている少なくとも一つの嵌着部、及び、前記嵌着部を前記嵌着孔から解除可能である分離部を有し、
前記第一支持レールは、前記第一アームおよび前記第二アームの何れか一方を支持しており、
前記第二支持レールは、前記第一支持レールに伸縮可能に連結されており、
前記可動部材は、前記第一支持レールに連結されており、操作部を有し、前記連接装置に対して移動可能であり、
前記可動部材が前記連接装置に対して閉じる位置まで移動する時、前記嵌着部材の前記嵌着部は、前記操作部の操作に応じて前記分離部を連動させ、前記連接装置の前記嵌着孔から離脱することを特徴とするケーブルマネージメントアーム。
【考案の詳細な説明】
【技術分野】
【０００１】
本考案はケーブルマネージメントアームに関する。
【背景技術】
【０００２】
情報科学技術や通信産業が急速に発展する中、サーバーシステムの需要もこれに伴い増加している。サーバーシステムに含まれるサーバーは大量の電子情報を保存するためにある。一般に言えば、サーバーのシャーシ（ｃｈａｓｓｉｓ）の対応する両側はそれぞれスライドレールキットを介してラック（ｒａｃｋ）の支柱に取り付けられる。シャーシは、サーバーの関連デバイス或いはパーツを保護するために用いられる。前記デバイス或いはパーツは通常、ケーブル（ｃａｂｌｅ）を有しており、サーバーの正常動作を維持させる。これにより、ケーブルのマネージメント要求に応えるため、通常はサーバーシステムの中にケーブルを配置するためのケーブルマネージメントアーム（Ｃａｂｌｅ  Ｍａｎａｇｅｍｅｎｔ  Ａｒｍ，ＣＭＡ）が含まれる。
【０００３】
特許文献１に開示されているケーブルマネージメントアームは、一般のサーバーのシャーシに用いられるものである。ケーブルマネージメントアームは、ケーブル台本体１、支持台２、二つのスライド部材３，４、及び二つの接合部材５，６、及び挿着座７を有する。ケーブルマネージメントアームのケーブル台本体１の前アーム部１１及び後アーム部１２はサーバーのケーブルを配置するのに用いられる（例えば、ケーブルは各アーム部のケーブル座１５内を貫通しそこに配置されている）。
【先行技術文献】
【特許文献】
【０００４】
【特許文献１】米国特許公告第ＵＳ７，５５４，８１９Ｂ２号明細書
【考案の概要】
【考案が解決しようとする課題】
【０００５】
しかしながら、ある特定の要求の下で、大型体積のサーバーのシャーシは通常、上下両層構造を有し、異なる作業区に分けられている。これは、シャーシの上層に位置するケーブルとシャーシの下層に位置するケーブルが、特殊設計によるケーブルマネージメントアームを必要としており、これによって上下両層のケーブルマネージメントの要求に応えることができることを示している。
本考案の目的は、同時にシャーシの異なる区域にケーブルを配置することが可能であり、迅速に取り付け或いは取り外し可能であるケーブルマネージメントアームを提供することにある。
【課題を解決するための手段】
【０００６】
本考案は、サーバーシャーシの少なくとも二つの異なる区域のケーブルマネージメントアームに用いられる。
【０００７】
本考案によるケーブルマネージメントアームは、シャーシに用いられる。シャーシは、上層区域と下層区域を有する。シャーシの互いに対向する両側はそれぞれ、第一スライドレールキットと第二スライドレールキットによってラックに取り付けられている。各スライドレールキットは、固定レールと固定レールに対して縦方向に移動する可動レールを有する。シャーシの両側それぞれは対応する各スライドレールキットの可動レールに取り付けられている。ケーブルマネージメントアームは、第一ケーブルマネージメント装置、第一支持装置、第二ケーブルマネージメント装置、及び第二支持装置を有する。
第一ケーブルマネージメント装置は、第一アーム、第二アーム、第一連接装置、支持台、及び第二連接装置を有する。
第二アームは、第一アームに移動可能に連結されており、第一アームと第二アームの位置をほぼシャーシの上層区域に対応する。
第一連接装置は、第一アームに移動可能に連結されており、第一連接部、第二連接部、及び第一連接部に位置する通路を有し、第一スライドレールキットの固定レールに分離可能に取り付けられている。
支持台は第二連接部に連結されている。
第二連接装置は、第二アームに移動可能に連結されており、シャーシに分離可能に取り付けられている。
第一支持装置は、第一ケーブルマネージメント装置の第一アームと第二アームの何れか一つを支持する第一支持レール、第一支持レールと相互に伸縮可能に連結されている第二支持レール、第一支持レールに連結されている可動部材、第一連接装置の通路に移動可能に取り付けられる可動部材、及び第二支持レールに連結されている嵌合部材を有する。
第二ケーブルマネージメント装置は、第一アーム、第一アームに連結されている第二アーム、第一アームに連結されており、且つ延長部を有する第一連接装置、延長部に連結されており、且つ第一支持装置に分離可能に連結されている嵌合部材、及び第二アームに連結されている第二連接装置を有する。
第二支持装置は、第二ケーブルマネージメント装置の第一アームと第二アームの何れか一つを支持する第一支持レール、第一支持レールと互いに伸縮可能に連結されている第二支持レール、第一支持レールに連結されている可動部材、第二ケーブルマネージメント装置の第一連接装置に移動可能に取り付けられている可動部材、及び第二支持レールに連結されており、第一ケーブルマネージメント装置の支持台に移動可能に取り付けられる嵌合部材を有する。
【０００８】
本考案によるケーブルマネージメントアームの特徴の一つは、サーバーのシャーシの少なくとも二つの異なる区域に用いられており、サーバーのシャーシの異なる区域に接続或いは延長されたケーブル（ｃａｂｌｅｓ）を整理するのに用いられることにある。
【図面の簡単な説明】
【０００９】
【図１】本考案の一実施形態によるケーブルマネージメントアームをシャーシの異なる区域に適用したことを示す図である。
【図２】本考案の一実施形態によるケーブルマネージメントアームはシャーシとスライドレールキットに応用するものであり、その分解斜視図である。
【図３】本考案の一実施形態によるケーブルマネージメントアームの第一ケーブルマネージメント装置のアーム部の分解図である。
【図４】本考案の一実施形態によるケーブルマネージメントアームの第一ケーブルマネージメント装置の斜視図である。
【図５】本考案の一実施形態によるケーブルマネージメントアームの第一ケーブルマネージメント装置の第一連接装置と支持台の分解図である。
【図５Ａ】図５の第一ケーブルマネージメント装置の支持台を示した要部図である。
【図６】本考案の一実施形態によるケーブルマネージメントアームの第一ケーブルマネージメント装置の第二連接装置の分解斜視図である。
【図７】本考案の一実施形態によるケーブルマネージメントアームの第一支持装置の分解斜視図である。
【図８】本考案の一実施形態によるケーブルマネージメントアームの第一支持装置の斜視図である。
【図９】本考案の一実施形態によるケーブルマネージメントアームの第一ケーブルマネージメント装置と第一支持装置の分解斜視図であり、前記第一ケーブルマネージメント装置の第二連接装置が分離可能に第一連接座に取り付けられており、しかも第一ケーブルマネージメント装置の第一連接装置と第一支持装置の可動部材は共に分離可能に第一スライドレールキットに取り付けられる。
【図１０】本考案の一実施形態によるケーブルマネージメントアームの第一ケーブルマネージメント装置の第一連接装置と第一支持装置の可動部材が共に分離可能に第一スライドレールキットに取り付けられることを示す要部図である。
【図１１】本考案の一実施形態によるケーブルマネージメントアームの第一ケーブルマネージメント装置の第一連接装置と第一支持装置の可動部材が第一スライドレールキットに共に取り付けられたことを示す要部斜視図である。
【図１２】本考案の一実施形態によるケーブルマネージメントアームの第一ケーブルマネージメント装置の第二連接装置と第一連接座の分解斜視図である。
【図１３】本考案の一実施形態によるケーブルマネージメントアームの第一ケーブルマネージメント装置の第二連接装置と第一連接座の組み合わせを示す斜視図である。
【図１４】本考案の一実施形態によるケーブルマネージメントアームの第一ケーブルマネージメント装置の第二連接装置が第一連接座に取り付けられており、第一ケーブルマネージメント装置の第一連接装置と第一支持装置の可動部材が第一スライドレールキットに共に取り付けられた組み合わせを示す斜視図である。
【図１５】本考案の一実施形態によるケーブルマネージメントアームの第二ケーブルマネージメント装置の斜視図である。
【図１６】本考案の一実施形態によるケーブルマネージメントアームの第二支持装置の斜視図である。
【図１７】本考案の一実施形態によるケーブルマネージメントアームがラック外に引き出されているシャーシに従って開かれた状態となったことを示す斜視図である。
【図１８Ａ】本考案の一実施形態によるケーブルマネージメントアームのケーブルマネージメント装置の第一連接装置とスライドレールキットの固定レールの組立操作図（１）である。
【図１８Ｂ】本考案の一実施形態によるケーブルマネージメントアームのケーブルマネージメント装置の第一連接装置とスライドレールキットの固定レールの組立操作図（２）である。
【図１８Ｃ】本考案の一実施形態によるケーブルマネージメントアームのケーブルマネージメント装置の第一連接装置とスライドレールキットの固定レールの組立操作図（３）である。
【図１９Ａ】本考案の一実施形態によるケーブルマネージメントアームのケーブルマネージメント装置の第二連接装置と連接座の組立操作図（１）である。
【図１９Ｂ】本考案の一実施形態によるケーブルマネージメントアームのケーブルマネージメント装置の第二連接装置と連接座の組立操作図（２）である。
【図１９Ｃ】本考案の一実施形態によるケーブルマネージメントアームのケーブルマネージメント装置の第二連接装置と連接座の組立操作図（３）である。
【図２０Ａ】本考案の一実施形態によるケーブルマネージメントアームの支持装置の嵌合部材とケーブルマネージメント装置の支持台の組立操作図（１）である。
【図２０Ｂ】本考案の一実施形態によるケーブルマネージメントアームの支持装置の嵌合部材とケーブルマネージメント装置の支持台の組立操作図（２）である。
【図２０Ｃ】本考案の一実施形態によるケーブルマネージメントアームの支持装置の嵌合部材とケーブルマネージメント装置の支持台の組立操作図（３）である。
【図２１】本考案の一実施形態によるケーブルマネージメントアームがラックに取り付けられたシャーシに応用されての動作を示す図であり、ケーブルマネージメントアームが閉じられた状態にあることを示す。
【図２２】本考案の一実施形態によるケーブルマネージメントアームがラックに取り付けられたシャーシに応用されての動作を示す図であり、ケーブルマネージメントアームが閉じられた状態から徐々に開かれた状態となったことを示す。
【図２３】本考案の一実施形態によるケーブルマネージメントアームがラックに取り付けられたシャーシに応用されての動作を示す図であり、ケーブルマネージメントアームが開かれた状態にあることを示す。
【考案を実施するための形態】
【００１０】
（一実施形態）
図１に示す本考案の一実施形態は、ラック３０、シャーシ３２、第一スライドレールキット３４、第二スライドレールキット３６、及びケーブルマネージメントアーム３８を備える。ラック３０は複数の支持柱４０ａ、４０ｂ、４０ｃ、４０ｄを有する。シャーシ３２は、上層区域４２ａと下層区域４２ｂを有する。第一スライドレールキット３４は、シャーシ３２の一方とラック３０の複数の支持柱４０ａ及び４０ｂ間に取り付ける（例えば、シャーシ３２の一方を第一スライドレールキット３４の可動レール３５に取り付ける）。第二スライドレールキット３６は、シャーシ３２の別の一方とラック３０の複数の支持柱４０ｃ及び４０ｄ間に取り付ける（例えば、シャーシ３２の別の一方を第二スライドレールキット３６の可動レールに取り付ける。未図示）。これにより、シャーシ３２は、第一スライドレールキット３４及び第二スライドレールキット３６によりラック３０から簡単に引き出される、または、ラック３０内に押し入れることができる。ケーブルマネージメントアーム３８は、第一スライドレールキット３４と第二スライドレールキット３６間に連結し、シャーシ３２後方に接続或いは延長されているケーブル（Ｃａｂｌｅｓ）の整理に用いられる。
【００１１】
図２に示すように、第一スライドレールキット３４に隣り合うシャーシ３２の一方に固定可能に取り付けられる第一連接座４４、及び第二スライドレールキット３６に隣り合うシャーシ３２の別の一方に固定可能に取り付けられる第二連接座４６を有する。ケーブルマネージメントアーム３８は、第一ケーブルマネージメント装置４８、第一支持装置５０、第二ケーブルマネージメント装置５２、及び第二支持装置５４を有する。第一ケーブルマネージメント装置４８は、第一アーム５６、第一アーム５６に連結されている第二アーム５８、第一アーム５６一端に連結されている第一連接装置６０及び支持台６２、第二アーム５８に連結されている第二連接装置６４、及び第一アーム５６のアーム部に連結されているスライド座６６を有する。第二連接装置６４は第一連接座４４に連結されている。第一支持装置５０は、第一支持レール６８、第一支持レール６８と相互に伸縮可能に連結されている（ｔｅｌｅｓｃｏｐｉｃａｌｌｙ  ｃｏｎｎｅｃｔｅｄ  ｔｏ）第二支持レール７０、第二支持レール７０に連結されている嵌合部材７２（例えば嵌合部材７２は第二支持レール７０の端部に隣り合う箇所に連結されている）、及び第一支持レール６８に連結されている可動部材７４を有する。前記第一ケーブルマネージメント装置４８のスライド座６６は第一支持装置５０の第一支持レール６８に移動可能に連結されており、第一支持装置５０の第一支持レール６８でスライド移動し、第一支持装置５０の第一支持レール６８は第一ケーブルマネージメント装置４８の第一アーム５６と第二アーム５８の何れか一つを支持する（例えば第一ケーブルマネージメント装置４８の第一アーム５６）。可動部材７４は、まず先に第一ケーブルマネージメント装置４８の第一連接装置６０を組み合わせた後、さらに一緒に第一スライドレールキット３４に連結されている。第二ケーブルマネージメント装置５２は第一アーム７６、第一アーム７６に連結されている第二アーム７８、第一アーム７６の一端に連結されている第一連接装置８０及び支持台８２、第二アーム７８に連結されている第二連接装置８４、及び第一アーム７６のアーム部に連結されているスライド座８６を有する。第二連接装置８４は第二連接座４６に連結されている。第二支持装置５４は、第一支持レール８８、第一支持レール８８と相互に伸縮可能に連結されている第二支持レール９０、第二支持レール９０に連結されている嵌合部材９２（例えば嵌合部材９２は第二支持レール９０の端部に隣り合う箇所に連結してもよい）、及び第一支持レール８８に連結されている可動部材９４を有する。前記第二ケーブルマネージメント装置５２のスライド座８６は第二支持装置５４の第一支持レール８８に移動可能に連結されており、第二支持装置５４の第一支持レール８８は第二ケーブルマネージメント装置５２の第一アーム７６と第二アーム７８の何れか一つを支持する（例えば第二ケーブルマネージメント装置５２の第一アーム７６）。可動部材９４は、第二ケーブルマネージメント装置５２の第一連接装置８０を組み合わせた後、さらに一緒に第二スライドレールキット３６に連結されている。第二ケーブルマネージメント装置５２の支持台８２と第一支持装置５０��嵌合部材７２は、相互に分離可能に一緒に組み立てる。第二支持装置５４の嵌合部材９２と第一ケーブルマネージメント装置４８の支持台６２は相互に分離可能に一緒に組み立てる。これにより、第一ケーブルマネージメント装置４８、第一支持装置５０と第二ケーブルマネージメント装置５２、第二支持装置５４は分離可能に一緒に組み立てられる。一実施形態において、第一ケーブルマネージメント装置４８と第二ケーブルマネージメント装置５２の構造はほぼ同じである。但し、その差異は第一ケーブルマネージメント装置４８の支持台６２が第一ケーブルマネージメント装置４８の第一連接装置６０の下方位置にほぼ隣り合う箇所にあり、第二ケーブルマネージメント装置５２の支持台８２が第二ケーブルマネージメント装置５２の第一連接装置８０の上方位置にほぼ隣り合う箇所にある点にある。また、第一ケーブルマネージメント装置４８の第一連接装置６０と第一支持装置５０の可動部材７４の組み合わせ、及びその一つから第一スライドレールキット３４に分離可能に取り付けられる方式はほぼ、第二ケーブルマネージメント装置５２の第一連接装置８０と第二支持装置５４の可動部材９４の組み合わせ及びその一つから第二スライドレールキット３６に分離可能に取り付けられる方式とほぼ同様である。この他、第一ケーブルマネージメント装置４８の第二連接装置６４は第一連接座４４に分離可能に取り付けられる方式はほぼ、第二ケーブルマネージメント装置５２の第二連接装置８４が第二連接座４６に分離可能に取り付けられる方式とほぼ同様である。並びに、第二支持装置５４の嵌合部材９２が第一ケーブルマネージメント装置４８の支持台６２に分離可能に取り付けられる方式はほぼ第一支持装置５０の嵌合部材７２が分離可能に第二ケーブルマネージメント装置５２の支持台８２に取り付けられる方式と同様である。
【００１２】
図３及び図４はそれぞれ、第一ケーブルマネージメント装置４８の分解図及びその組み合わせを示す斜視図である。本実施形態において、第一枢軸９６（ｈｉｎｇｅ  ｓｔｒｕｃｔｕｒｅ）を第一アーム５６と第二アーム５８間に連結することにより、第一アーム５６と第二アーム５８は互いに密着した状態となる（或いは密着した状態からほぼＶ字型の延長状態に開かれる）。第二枢軸９８を第一アーム５６と第一連接装置６０間に連結することで、第一連接装置６０は第一アーム５６に対して移動可能に回転して移動する。第一枢着部材１００がスライド座６６から第一アーム５６に連結されていることで、第一アーム５６はスライド座６６に対して移動可能に回転し移動する。第二枢着部材１０２が第二連接装置６４から第二アーム５８に連結されていることで、第二連接装置６４は第二アーム５８に対して移動可能に回転して移動する。それぞれの第一アーム５６及び第二アーム５８はケーブル支持特徴部１０４を有し、例えばＵ字形に設けられており、ケーブルを整理し収納する便宜を図る。
【００１３】
図５に開示された第一連接装置６０は第一連接部１０６を有する。第二連接部１０８は第一連接部１０６から縦方向に延長される。上壁１１０ａと下壁１１０ｂはそれぞれ第一連接部１０６の上、下エッジより延長されており、上壁１１０ａ、下壁１１０ｂと第一連接部１０６間には共同で通路１１２が形成されている。係止部１１４は第一連接部１０６と第二連接部１０８間に設置されている。第三連接部１１６は第二連接部１０８より上向きに、上壁１１０ａより高くなるように延長される。第三連接部１１６は第二枢軸９８により第一ケーブルマネージメント装置４８の第一アーム５６に移動可能に連結されている。插入部１１８は第一連接部１０６より延長され一部が通路１１２の外側を超え、通路１１２外の插入部１１８は少なくとも一つの嵌着孔１２０を有する。嵌着部材１２２は插入部１１８に弾性を有して連結されている。嵌着部材１２２は、插入部１１８の少なくとも一つの嵌着孔１２０に対応する少なくとも一つの嵌着部１２４、分離部１２６、及び少なくとも一つの嵌着部１２４と分離部１２６間に位置する弾力部１２８を有する。詳細すると、嵌着部材１２２は、弾力部１２８によって插入部１１８に弾性を有して連結されており、少なくとも一つの嵌着部１２４は弾力部１２８の提供する弾力に対応して插入部１１８の少なくとも一つの嵌着孔１２０内に嵌め込まれる。図５Ａに示すとおり、第一ケーブルマネージメント装置４８の支持台６２は連結されて第二連接部１０８より横向きに延長される。一実施形態において、支持台６２は定位孔１３０及び定位孔１３０に繋がる取付孔１３２を有する。定位部材１３４は支持台６２に弾性をもって連結されており、定位部材１３４は支持台６２の一部分としてみなされており、定位孔１３０と取付孔１３２間に対応する阻止部１３６を有する。
【００１４】
図６に示すとおり、第二連接装置６４は連接部材１３８、及び弾性をもって連接部材１３８に連結されている嵌着部材１４０を有する。連接部材１３８は插入部１４２及び嵌着孔１４４を有し、嵌着部材１４０と前記嵌着部材１２２の配置とはほぼ同様であり、連接部材１３８の嵌着孔１４４に対応する少なくとも一つの嵌着部１４６、分離部１４８、及び嵌着部１４６と分離部１４８間に位置する弾力部１５０を有する。
【００１５】
図７及び図８はそれぞれ、第一支持装置５０の分解斜視図及びその組み合わせを示す斜視図であり、枢軸１５２及びスイングアーム１５４をさらに有する。枢軸１５２が第一支持レール６８とスイングアーム１５４間に連結されており、スイングアーム１５４が枢軸１５２と可動部材７４間に連結されていることで、可動部材７４は第一支持レール６８に対して可動して回転移動する。詳細すると、スイングアーム１５４は嵌着凸体１５６、及び嵌着凸体１５６の両側に位置する嵌合溝１５８を有する。可動部材７４はプラスチック材質のような可撓性材質で成形されており、一対のエッジ壁１６０及び一対のエッジ壁１６０間に延長される側壁１６２を有する。側壁１６２は上嵌着特徴部１６４、下嵌着特徴部１６６、及び操作部１６８を有する。組立時、スイングアーム１５４の嵌着凸体１５６は上嵌着特徴部１６４と下嵌着特徴部１６６の嵌着箇所に定位される。さらに、上嵌着特徴部１６４及び下嵌着特徴部１６６は弾性体１７０及び弾性体１７０のエッジに位置する溝孔１７２を有する。本実施形態では、嵌着凸体１５６が上嵌着特徴部１６４の溝孔１７２に挿入された後、嵌合溝１５８によって可動部材７４の壁体は押圧されており、弾性体１７０が嵌着凸体１５６を押圧することで、可動部材７４とスイングアーム１５４は互いに嵌着されて定位される。これにより、第一支持装置５０は、可動部材７４の高さよりも高い位置となる。嵌着が解除された時、ただ弾性体１７０を押すだけで嵌着凸体１５６間の押圧関係がなくなり、可動部材７４はスイングアーム１５４より取り外すことができる。また、嵌合部材７２は第一支持装置５０の第二支持レール７０に固定可能に連結されており、嵌合部材７２は頭部１７６及び頭部１７６より延長される軸部１７８を有する。頭部１７６の外径サイズは軸部１７８の外径より大きいサイズである。
【００１６】
図９に示すように、第一ケーブルマネージメント装置４８の第一連接装置６０の第一連接部１０６と第一支持装置５０の可動部材７４は共に第一スライドレールキット３４に取り付けられる。第一ケーブルマネージメント装置４８の第二連接装置６４はシャーシ３２一方の第一連接座４４に隣り合う箇所に取り付けられる。また、第一支持装置５０の第一支持レール６８は、第一部位６９ａと第二部位６９ｂを有する。第一部位６９ａと第二部位６９ｂはいずれも位置決め部材を有し（例えば第一位置決め部材７１ａと第二位置決め部材７１ｂ）、第一ケーブルマネージメント装置４８のスライド座６６が第一支持装置５０の第一支持レール６８で移動する時、位置決め部材間に位置を限定することができる。
【００１７】
図１０及び図１１に示すとおり、第一ケーブルマネージメント装置４８の第一連接装置６０と第一支持装置５０の可動部材７４は共に第一スライドレールキット３４の何れか一つのレール部材（例えば固定レール１８０）に取り付けられる。固定レール１８０は一対の連接孔１８２を有し、最も好ましくは、固定レール１８０は、少なくとも一対の屈曲した固定部材１８４をさらに有する。一対の固定部材１８４には溝部１８６が形成されている。組立時、第一支持装置５０の可動部材７４は一対のエッジ壁１６０によって第一ケーブルマネージメント装置４８の第一連接装置６０の通路１１２内に取り付けられており、その後、第一支持装置５０の可動部材７４は第一連接装置６０の係止部１１４を押圧し、第一連接装置６０と第一スライドレールキット３４の固定レール１８０に互いに対向する箇所が閉じられる位置となる。この状況のもと、嵌着部材１２２の少なくとも一つの嵌着部１２４は対応する固定レール１８０の一対の連接孔１８２に嵌着されており、第一ケーブルマネージメント装置４８の第一連接装置６０の插入部１１８は対応する第一スライドレールキット３４の固定レール１８０の溝部１８６に挿入されており、一対の固定部材１８４によって係止されることで、第一ケーブルマネージメント装置４８の第一連接装置６０を第一スライドレールキット３４の固定レール１８０に取り付ける安定性を向上させ、これにより、第一支持装置５０の可動部材７４を第一ケーブルマネージメント装置４８の第一連接装置６０内及び第一スライドレールキット３４の固定レール１８０内に保持させることができる。
【００１８】
図１２及び図１３に示すとおり、シャーシ３２一方の第一連接座４４は係止部１８８を有し、最も好ましくは、挿入口１９０及び係止壁１９２をさらに有する。組立時、第一ケーブルマネージメント装置４８の第二連接装置６４の嵌着部１４６は対応する第一連接座４４の係止部１８８に嵌着されており、第一ケーブルマネージメント装置４８の第二連接装置６４の插入部１４２は対応する第一連接座４４の挿入口１９０に挿入されており、係止壁１９２によって係止される。これにより、第一ケーブルマネージメント装置４８の第二連接装置６４を第一連接座４４に取り付ける安定性を向上させることができる。
【００１９】
図１４に示すとおり、第一ケーブルマネージメント装置４８の第一連接装置６０と第二連接装置６４は別々に第一スライドレールキット３４の固定レール１８０及び第一連接座４４に取り付けられている。また、第二支持装置５４は第一ケーブルマネージメント装置４８の支持台６２に取り付けられる。
【００２０】
図１５は第二ケーブルマネージメント装置５２の組み合わせを示す斜視図である。ここで、第二ケーブルマネージメント装置５２と第一ケーブルマネージメント装置４８の相違点について述べる。第二ケーブルマネージメント装置５２は第二連接装置８４に連結されている第一延長部１９４を有することで、第二連接装置８４の高さは第二ケーブルマネージメント装置５２の第二アーム７８より高くなる。また、第二ケーブルマネージメント装置５２は支持台８２に連結されている第二延長部１９６を有することで、支持台８２は第二ケーブルマネージメント装置５２の第一連接装置８０の上方に位置する。
【００２１】
図１６は第二支持装置５４の組み合わせを示す図である。ここで、第二支持装置５４と前記第一支持装置５０の相違点について述べる。第二支持装置５４のスイングアーム１９８は可動部材９４と第二支持装置５４の第一支持レール８８間に移動可能に連結されており、スイングアーム１９８の端部は可動部材９４の下嵌着特徴部２００に嵌着されている。よって、可動部材９４は第二支持装置５４より高くなる。
【００２２】
図１７に示すとおり、第一ケーブルマネージメント装置４８の第一連接装置６０の位置は第二ケーブルマネージメント装置５２の第一連接装置８０とほぼ並行となる位置にある（例えば、第一ケーブルマネージメント装置４８の第一連接装置６０と第二ケーブルマネージメント装置５２の第一連接装置８０は同一水平上にある）。第一ケーブルマネージメント装置４８の支持台６２は第一ケーブルマネージメント装置４８の第一連接装置６０に隣り合う下方に位置する。これにより、第二ケーブルマネージメント装置５２は第二支持装置５４の嵌合部材９２を用いて第一ケーブルマネージメント装置４８の支持台６２に、しかも第一ケーブルマネージメント装置４８の下方に取り付けられる。比較すると、第二ケーブルマネージメント装置５２の支持台８２は第二ケーブルマネージメント装置５２の第一連接装置８０に隣り合う上方に位置し、第一ケーブルマネージメント装置４８は第一支持装置５０の嵌合部材７２によって第二ケーブルマネージメント装置５２の支持台８２に取り付けられて、第二ケーブルマネージメント装置５２の上方に位置する。これにより、第一ケーブルマネージメント装置４８の第一アーム５６と第二アーム５８はほぼ対応し、シャーシ３２の上層区域４２ａに使用されており、シャーシ３２後方の上層区域４２ａに連結或いは延長されるケーブルを置くことができる。それに対し、第二ケーブルマネージメント装置５２の第一アーム７６と第二アーム７８はほぼ対応し、シャーシ３２の下層区域４２ｂに使用されており、シャーシ３２後方の下層区域４２ｂに連結或いは延長されるケーブルを置くことができる。
【００２３】
図１８Ａ〜図１８Ｃは第一ケーブルマネージメント装置４８の第一連接装置６０と第一支持装置５０の可動部材７４を共に第一スライドレールキット３４の固定レール１８０に分離可能に取り付けられていることを示す。この取付け状態を解除しようとする場合、第一支持装置５０の可動部材７４が第一ケーブルマネージメント装置４８の第一連接装置６０に対して閉じられた位置にある時、操作者は、第一支持装置５０の可動部材７４の操作部１６８によって間接的に力Ｆを加えて嵌着部材１２２の分離部１２６を操作する。これにより、嵌着部材１２２の少なくとも一つの嵌着部１２４は固定レール１８０の少なくとも一つの連接孔１８２と第一連接装置６０の少なくとも一つの嵌着孔１２０中より嵌着が解かれて離脱する。この状態において、第一ケーブルマネージメント装置４８の第一連接装置６０と第一支持装置５０の可動部材７４は方向Ｄに向かって一緒に第一スライドレールキット３４の固定レール１８０から取り外される。
【００２４】
図１９Ａ〜図１９Ｃに示すように、第一ケーブルマネージメント装置４８の第二連接装置６４と第一連接座４４間の取付状態を解除したい場合、操作者は力Ｆを加えて第二連接装置６４の分離部１４８を操作し、第二連接装置６４の弾力部１５０によって提供される弾力を超えようとする。これにより、第二連接装置６４の少なくとも一つの嵌着部１４６は連接部材１３８の嵌着孔１４４及び第一連接座４４の係止部１８８の中での嵌着を解除し、この状態における第一ケーブルマネージメント装置４８の第二連接装置６４は方向Ｄに向かって第一連接座４４から取り外される。
【００２５】
以上により理解されることは、第一ケーブルマネージメント装置４８の第二連接装置６４はシャーシ３２の第一連接座４４から分離された後は、使用者は、シャーシ３２の上層区域４２ａ内に配置された電子部品及び／或いは機器の交換、修理、メンテナンスを便利に行なうことができる。同様に、第二ケーブルマネージメント装置５２の第二連接装置８４をシャーシ３２の第二連接座４６から分離させた後、使用者は、シャーシ３２の下層区域４２ｂ内に配置された電子部品及び／或いは機器の交換、修理、メンテナンスを便利に行なうことができる。
【００２６】
図２０Ａ〜図２０Ｃに示すように、第二支持装置５４の嵌合部材９２の頭部２７０は第一ケーブルマネージメント装置４８の支持台６２の定位孔１３０に取り付けられ（この部分は図５及び図５Ａ参照）、しかも、第二支持装置５４の嵌合部材９２と第一ケーブルマネージメント装置４８の支持台６２間の取り付け状態を解除したい場合、操作者は力Ｆを加えて第一ケーブルマネージメント装置４８の第一連接装置６０の定位部材１３４を操作することで、定位部材１３４の阻止部１３６は二度と第二支持装置５４の嵌合部材９２の頭部２７０を阻止することがない。この状態の下で、第二支持装置５４は方向Ｄに向かって第一ケーブルマネージメント装置４８の支持台６２から取り外される。
【００２７】
図２１に示すとおり、各スライドレールキットの可動レール（例えば第一スライドレールキット３４の可動レール３５と第二スライドレールキット３６の可動レール３７）が各スライドレールキットの固定レール（例えば第一スライドレールキット３４の固定レール１８０と第二スライドレールキット３６の固定レール２０２）に対して閉じられる位置になる時、ケーブルマネージメントアーム３８は閉じられた状態となる。
【００２８】
図２２に示すとおり、各スライドレールキットの可動レール（例えば第一スライドレールキット３４の可動レール３５と第二スライドレールキット３６の可動レール３７）が固定レール（例えば第一スライドレールキット３４の固定レール１８０と第二スライドレールキット３６の固定レール２０２）に対して閉じられる位置から延長位置に向かって方向Ｄ１の縦方向に移動する時、シャーシ３２もこれに従って移動する。また、第一ケーブルマネージメント装置４８の第二アーム５８は第一アーム５６に対して徐々に広げられ、同様に第二ケーブルマネージメント装置５２の第二アーム７８は第一アーム７６に対して徐々に広げられる。これに基いて、スライド座６６とスライド座８６（未図示）はそれぞれ第一支持装置５０の第一支持レール６８と第二支持装置５４の第一支持レール８８を連動し、可動部材７４と可動部材９４は、第一スライドレールキット３４の固定レール１８０内と第二スライドレールキット３６の固定レール２０２内でそれぞれが第一連接装置６０と第一連接装置８０に対して延長位置の方向Ｄ１に向かって移動する。また、第一支持装置５０の第一支持レール６８と第二支持装置５４の第一支持レール８８はそれぞれ、第二支持レール７０と第二支持レール９０に対して直線的に広がり、それぞれが同時に第一ケーブルマネージメント装置４８の第一アーム５６と第二ケーブルマネージメント装置５２の第一アーム７６を支持する。
【００２９】
図２３に示すとおり、各スライドレールキットの可動レールが固定レールに対して（例えば第一スライドレールキット３４の固定レール１８０と第二スライドレールキット３６の固定レール２０２）、さらに延長位置の方向Ｄ１に向かって移動する時、第一ケーブルマネージメント装置４８の第二アーム５８は第一アーム５６に対してさらに開かれた状態となる。同様に第二ケーブルマネージメント装置５２の第二アーム７８が第一アーム７６に対してさらに開かれた状態となる。これにより、スライド座６６とスライド座８６それぞれが第一支持装置５０の第一支持レール６８と第二支持装置５４の第一支持レール８８を連動し、しかも可動部材７４と可動部材９４それぞれは、さらに第一スライドレールキット３４の固定レール１８０内と第二スライドレールキット３６の固定レール２０２内で第一連接装置６０と第一連接装置８０に対して延長位置の方向Ｄ１に向かって移動する。また、第一支持装置５０の第一支持レール６８と第二支持装置５４の第一支持レール８８それぞれは、第二支持レール７０と第二支持レール９０に対して直線的に開かれ、それと同時に第一ケーブルマネージメント装置４８の第一アーム５６と第二ケーブルマネージメント装置５２の第一アーム７６を支えている。
【００３０】
注意すべき点であるが、各スライドレールキットの可動レールが固定レールに対し（例えば第一スライドレールキット３４の固定レール１８０と第二スライドレールキット３６の固定レール２０２）閉じられる位置の方向に向かって（延長位置の方向Ｄ１と相反する方向）移動する時、第一ケーブルマネージメント装置４８の第二アーム５８と第二ケーブルマネージメント装置５２の第二アーム７８のそれぞれは、第一ケーブルマネージメント装置４８の第一アーム５６と第二ケーブルマネージメント装置５２の第一アーム７６に対して閉じられた状態となり、この時、第一支持装置５０の第一支持レール６８と第二支持装置５４の第一支持レール８８のそれぞれは、第一支持装置５０の第二支持レール７０と第二支持装置５４の第二支持レール９０に対して再び閉じられた状態となる。
【００３１】
前述の本考案は一実施形態についての開示であるが、これは本考案に制約を加えるものではなく、本考案の保護される範囲は実用新案登録請求の範囲を基準とすることをここに明記する。
【符号の説明】
【００３２】
３０  ラック、
３２  シャーシ、
３４  第一スライドレールキット、
３５、３７  可動レール、
３６  第二スライドレールキット、
３８  ケーブルマネージメントアーム、
４０ａ、４０ｂ、４０ｃ、４０ｄ  支持柱、
４２ａ  上層区域、
４２ｂ  下層区域、
４４  第一連接座、
４６  第二連接座、
４８  第一ケーブルマネージメント装置、
５０  第一支持装置、
５２  第二ケーブルマネージメント装置、
５４  第二支持装置、
５６、７６  第一アーム、
５８、７８  第二アーム、
６０、８０  第一連接装置、
６２、８２  支持台、
６４、８４  第二連接装置、
６６、８６  スライド座、
６８、８８  第一支持レール、
６９ａ  第一部位、
６９ｂ  第二部位、
７０、９０  第二支持レール、
７１ａ  第一位置決め部材、
７１ｂ  第二位置決め部材、
７２、９２  嵌合部材、
７４、９４  可動部材、
９６  第一枢軸、
９８  第二枢軸、
１００  第一枢着部材、
１０２  第二枢着部材、
１０４  ケーブル支持特徴部、
１０６  第一連接部、
１０８  第二連接部、
１１０ａ  上壁、
１１０ｂ  下壁、
１１２  通路、
１１４  係止部、
１１６  第三連接部、
１１８、１４２  插入部、
１２０、１４４  嵌着孔、
１２２、１４０  嵌着部材、
１２４、１４６  嵌着部、
１２６、１４８  分離部、
１２８、１５０  弾力部、
１３０  定位孔、
１３２  取付孔、
１３４  定位部材、
１３６  阻止部、
１３８  連接部材、
１５２  枢軸、
１５４、１９８  スイングアーム、
１５６  嵌着凸体、
１５８  嵌合溝、
１６０  エッジ壁、
１６２  側壁、
１６４  上嵌着特徴部、
１６６、２００  下嵌着特徴部、
１６８  操作部、
１７０  弾性体、
１７２  溝孔、
１７６  頭部、
１７８  身、
１８０、２０２  固定レール、
１８２  連接孔、
１８４  固定部材、
１８６  溝部、
１８８  係止部、
１９０  挿入口、
１９２  係止壁、
１９４  第一延長部、
１９６  第二延長部、
Ｆ  力、
Ｄ、Ｄ１  方向。
【図１】
0003196759.tif 000003
【図２】
0003196759.tif 000004
【図３】
0003196759.tif 000005
【図４】
0003196759.tif 000006
【図５】
0003196759.tif 000007
【図５Ａ】
0003196759.tif 000008
【図６】
0003196759.tif 000009
【図７】
0003196759.tif 000010
【図８】
0003196759.tif 000011
【図９】
0003196759.tif 000012
【図１０】
0003196759.tif 000013
【図１１】
0003196759.tif 000014
【図１２】
0003196759.tif 000015
【図１３】
0003196759.tif 000016
【図１４】
0003196759.tif 000017
【図１５】
0003196759.tif 000018
【図１６】
0003196759.tif 000019
【図１７】
0003196759.tif 000020
【図１８Ａ】
0003196759.tif 000021
【図１８Ｂ】
0003196759.tif 000022
【図１８Ｃ】
0003196759.tif 000023
【図１９Ａ】
0003196759.tif 000024
【図１９Ｂ】
0003196759.tif 000025
【図１９Ｃ】
0003196759.tif 000026
【図２０Ａ】
0003196759.tif 000027
【図２０Ｂ】
0003196759.tif 000028
【図２０Ｃ】
0003196759.tif 000029
【図２１】
0003196759.tif 000030
【図２２】
0003196759.tif 000031
【図２３】
0003196759.tif 000032